【手続補正書】
【提出日】平成16年6月18日(2004.6.18)
【手続補正１】
【補正対象書類名】明細書
【補正対象項目名】全文
【補正方法】変更
【補正の内容】
【書類名】  明細書
【発明の名称】  伸縮継手用補強部の除去用分離装置
【特許請求の範囲】
【請求項１】  床版内から延びる鉄筋と、床版上に水平に配置されかつ鉄筋に結合される支持部材と、支持部材に連結されかつ伸縮継手を取付けるアンカーボルトに直接的又は間接的に接続される複数の分離装置と、床版上に設けられた補強部と床版との境界付近に埋設される扁平パイプとを備え、複数の分離装置の各々に引張に弱い部分を設け、扁平パイプに加圧液体を供給して扁平パイプを膨張させ分離装置の引張に弱い部分を破壊して補強部を除去する伸縮継手用補強部において、
分離装置は、筒状部及び筒状部から上方に延伸してアンカーボルトに間接的又は直接的に接続される棒状部を有する連結部材と、連結部材の筒状部内に頭部が挿入されかつ支持部材の上面に螺入されるボルトと、連結部材の筒状部内に充填されてボルトの頭部を筒状部内に固定する結合部材とを備え、
連結部材の筒状部内の上端面に形成された凹所にボルトの頭部を嵌合して、連結部材とボルトとを一体に回転可能であり、
分離装置を大きい力で引張ると、結合部材が破壊されて連結部材の凹所からボルトを分離できることを特徴とする伸縮継手用補強部の除去用分離装置。
【請求項２】
筒状部は、上端が閉塞し下端が開放する円形断面を有する請求項１に記載の伸縮継手用補強部の除去用分離装置。
【請求項３】
分離装置の連結部材は、筒状部の上端に角型に形成された操作部を有する請求項１又は２に記載の伸縮継手用補強部の除去用分離装置。
【発明の詳細な説明】
【０００１】
【産業上の利用分野】
この発明は、河川用橋梁や高架道路等の継ぎ目に設けられる伸縮継手用補強部の除去用分離装置に関するものである。
【０００２】
【従来の技術】
従来河川用橋梁や高架道路等の継ぎ目には、橋梁や道路の寒暖による伸縮を吸収する伸縮継手が用いられている。橋梁や道路に伸縮継手を設置するには、床版の上面を切欠いてコンクリート等より成る補強部を形成することが普通であるが、伸縮継手を取換える場合には補強部を除去する必要がある。本発明者は、特開平７−３０５５２１号公報に示される除去装置を提案した。この除去装置は、床版上に水平に延びかつ床版から延びた鉄筋に結合された支持部材と、支持部材に連結されかつ伸縮継手取付用アンカーボルトに接続された複数個の分離装置と、補強部の床版との境界付近に埋設された扁平パイプとを有する。分離装置は、連結部材と、除去装置の支持部材の上面に螺入させるボルトと、ボルトを連結部材に結合するエポキシ樹脂等の結合部材とを備え、連結部材は、上部に形成した伸縮継手取付用アンカーボルトに接続された棒状部と、下部に形成した上端が閉塞して下に向かって開放した筒状部とを有する。ボルトに設けられる角型の頭部は、連結部材の筒状部内に挿入され、筒状部から下方に延びるボルトは結合部材により筒状部に結合される。
【０００３】
【発明が解決しようとする課題】
補強部を除去する際に、加圧液体を分離装置に供給して膨張させ分離装置を破壊して補強部を除去するが、分離装置を支持部材へ取付ける際に、分離装置を強く締付けると、連結部材と結合部材の接着部が破壊され周面から分離する恐れがあった。また、設置後に多年伸縮継手を使用すると、連結部材と結合部材との接着部が弱くなり、補強部を除去するまで十分な強度を維持できない恐れがあった。従って、分離装置が十分な引張強度を維持すると同時に、補強部の除去時にのみ結合部材が破壊されて分離できる構造を付与する必要がある。また、従来の分離装置では、支持部材上にコンクリートが少しでも残ると、伸縮継手を交換して補強部を再構築する際に、取付ける連結部材を回動しなければならないが、多角形断面の外形を有する連結部材の筒状部を回動する際に残るコンクリートが邪魔になる。このため、残るコンクリートを削り取る大きい作業が必要となる欠点があった。
【０００４】
この発明は、取付時に大きい力のモーメントが作用しても筒状部が結合部材から分離して回動せずかつ補強部の除去時まで筒状部が結合部材から抜けずに十分な引張り強度を維持出来て補強部の除去時にのみ結合部材が破壊されて補強部を分離できる伸縮継手用補強部の除去用分離装置を提供することを目的とする。また、この発明は、伸縮継手を交換して補強部を再設置する際に、連結部材の回動に障害が生じない伸縮継手用補強部の除去用分離装置を提供することを目的とする。
【０００５】
【課題を解決するための手段】
この発明による伸縮継手用補強部(11)の除去用分離装置は、床版(10)内から延びる鉄筋(15)と、床版(10)上に水平に配置されかつ鉄筋(15)に結合される支持部材(16)と、支持部材(16)に連結されかつ伸縮継手(13)を取付けるアンカーボルト(28)に直接的又は間接的に接続される複数の分離装置(70)と、床版(10)上に設けられた補強部(11)と床版(10)との境界付近に埋設される扁平パイプ(31)とを備えている。複数の分離装置(70)の各々に引張に弱い部分を設け、扁平パイプ(31)に加圧液体を供給して扁平パイプ(31)を膨張させ分離装置(70)の引張に弱い部分を破壊して補強部(11)を除去することができる。分離装置(70)は、筒状部(74)及び筒状部(74)から上方に延伸してアンカーボルト(28)に間接的又は直接的に接続される棒状部(73)を有する連結部材(71)と、連結部材(71)の筒状部(74)内に頭部(77)が挿入されるボルト(76)と、連結部材(71)の筒状部(74)内に充填されてボルト(76)の頭部(77)を筒状部(74)内に固定する結合部材(85)とを備えている。連結部材(71)の筒状部(74)内の上端面に形成された凹所(79)にボルト(76)の頭部(77)を嵌合して、連結部材(71)とボルト(76)とを一体に回転可能である。分離装置(70)を大きい力で引張ると、結合部材(85)が破壊されて連結部材(71)の凹所(79)からボルト(76)を分離できる。従って、取付時に大きい力のモーメントが作用しても筒状部(74)が結合部材(85)から分離して回動せずかつ補強部(11)の除去時まで筒状部(74)が結合部材(85)から抜けずに十分な引張り強度を維持でき、補強部(11)の除去時にのみ結合部材(85)を破壊して補強部(11)を分離できる。
【０００６】
また、伸縮継手を交換して補強部を再設置する際に、円形断面を有する筒状部(74)は、連結部材(71)を回動する際に障害を生じない。
【０００７】
【発明の実施の形態】
この発明による伸縮継手用補強部の除去用分離装置の実施の形態を図１〜図５について以下説明する。
図１〜図３に示すように、この発明の実施の形態による除去用分離装置７０は、連結部材７１と、頭部７７が連結部材７１内に配置されるボルト７６と、ボルト７６を連結部材７１に固定する結合部材８５とを備えている。連結部材７１は、円形断面の筒状部７４と、筒状部７４の上端に設けられた操作部７５と、操作部７５から上方に延伸する棒状部７３とを備えている。筒状部７４は、下端が開放し、上端は操作部７５により閉鎖される。操作部７５の外側断面は、図３に示すように六角断面等の角型に形成される。連結部材７１の上部に形成された棒状部７３は、間接的又は直接的にアンカーボルト２８に接続される。
【０００８】
ボルト７６の頭部７７は、六角形状等の角型断面に形成され、対向して平行な１対の平面部７８を少なくとも有する。操作部７５の底面、即ち筒状部７４の上端面形成された凹所７９が連結部材７１の中心に形成され、ボルト７６の頭部７７を筒状部７４内に挿入して、頭部７７を凹所７９内に嵌合すると、連結部材７１に対して自動的にボルト７６を心出しすることができる。頭部７７を凹所７９内に嵌合すると、ボルト７６の頭部７７に形成された平面部７８は、凹所７９の１対の平面より成る係合部８２と接触可能となり、操作部７５と頭部７７の軸心が一致し、操作部７５を回転することにより、連結部材７１とボルト７６とを一体として回転できる。エポキシ樹脂等の樹脂よりなる結合部材８５は、筒状部７４の内面に形成されたメネジ状螺旋溝８３に固定され、連結部材７１に対してボルト７６を固定する。分離装置７０を大きい力で引張ると、結合部材８５が破壊されて連結部材７１の凹所７９からボルト７６を分離できる。
【０００９】
図４及び図５に示すように、補強部１１は、舗装部１４を有するコンクリート製の床版１０の端部を切り欠いてコンクリート等より形成される。例えば２個の支持部材１６は、床版１０内より延びる鉄筋１５と結合して床版１０上で水平に配置される。支持部材１６は３個以上でもよく又は例えばＵ字形に形成される等１個でもよい。伸縮継手１３は、鉄筋２７に結合したアンカーボルト２８に接続される。鉄筋２７は、連結部材７１の上部の棒状部７３に結合した鉄筋２６に結合される。多数の鉄筋３０は、支持部材１６上に適当間隔で支持部材１６を横切る方向に配置され、例えば点溶接又は図示しない針金等で支持部材１６に固定される。分離装置７０は通常工事現場でボルト７６を支持部材１６に適当間隔で形成したネジ孔１６ａに螺合させて取付けられる。
【００１０】
鉄筋３０上に配置されるＵ字形の扁平パイプ３１は、例えば図示しない針金等で固定される。扁平パイプ３１は、最初外径２０〜５０ｍｍで厚さ１〜５ｍｍの円形断面のステンレスパイプをＵ字状に形成し、例えばロール等により両側より押圧して扁平に変形して形成される。詳細には図示しないが、扁平パイプ３１の両端は、上方に折曲げられて補強部１１の上面付近で近接して配置する開口部３３を構成する。各開口部３３は、補強部１１の表面に露出する例えばゴム等より成る閉塞部材３５により閉塞される。例えば鉄筋３０と同じ個数程度の鉄筋３６は、扁平パイプ３１上にこれを横切る方向に配置して図示しない針金等で固着される。
【００１１】
持上用取付部材３７は、補強部１１の除去時に図示しないクレーンの持上用フックを取付けることができる。持上用取付部材３７の上端は補強部１１の表面に露出され、持上用取付部材３７の上面から形成されるネジ孔３８内には例えばゴム等の埋設物４０が埋設される。通常一度に除去される補強部１１に複数個の取付部材３７が設けられ、各取付部材３７は、例えば鉄筋２７に固着される。このように鉄筋等を全て配置した状態で適当な型枠を使用してコンクリート打設して補強部１１を構成し、アンカーボルト２８を使用して伸縮継手１３を取付ける。
【００１２】
例えば多年使用した伸縮継手１３を取換えるとき、コンクリートカッターを用いて補強部１１の舗装部１４又は隣接する他の舗装部との境界面を切断する。特開平７−３０５５２１号公報に示されるように、例えば紙等より成るシート部材を境界面に埋設した場合には、この切断作業は不要である。次に、扁平パイプ３１の開口部３３から閉塞部材３５を引張って除去し、一端の開口部３３から水等の加圧液体を供給し、扁平パイプ３１内の加圧液体が他端に達したとき、他端の開口部３３を閉塞する。更に加圧液体の供給を続けると、扁平パイプ３１が膨張して補強部１１が持上げられ、分離装置７０の結合部材８５が破壊されるので、連結部材７１はボルト８５から離れ、補強部１１が持上げられて床版１０から分離する。
【００１３】
扁平パイプ３１内に加圧液体を供給する際に、鉄筋３０及び鉄筋３６を設けないと、補強部１１のコンクリート部分の破断面に凹凸が多く発生し、補強部１１を平坦に破断できないことが判明した。鉄筋３０，３６を設けると補強部１１のコンクリート部分が扁平パイプ３１から水平方向に平坦に切断され、その後、扁平パイプ３１を再設置するのに非常に都合がよい。
【００１４】
また、取付部材３７の露出した表面から埋設物４０を除去し、ネジ穴３８に螺合させた図示しない係合部材をロープを介してクレーンにより引上げることによりブロック状の補強部１１を除去することができる。補強部１１を除去して次に再び伸縮継手１３を設置するとき、スパナー等を使用して分離装置７０のボルト７６を除去し、残る支持部材１６に新しい分離装置７０を設置し、そのまま鉄筋３０を用い、他の部分を新しいものと交換して同様に伸縮継手１３を設置することができる。図１に示す新しい分離装置７０を支持部材１６に固定するとき、スパナーを使用して分離装置７０の操作部７５を回転させて、ボルト７６を支持部材１６のネジ孔１６ａに螺入させる。この場合、ボルト７６の頭部７７が凹所７９の係合部８２に係合するため、大きい力のモーメントを連結部材７１とボルト７６に作用させても、結合部材８５の筒状部７４との接着面が破損しない。扁平パイプ３１内に加圧液体を加えたとき、螺旋溝８３等が結合部材８５に係合して連結部材７１の筒状部７４より抜け出ずに、連結部材７１が上方に引張られて結合部材８５が破壊される場合のみ、ボルト７６が連結部材７１の凹所７９から分離し、補強部１１を除去することができる。
【００１５】
また、一度使用した補強部１１を除去して再設置する場合、多少のコンクリートが支持部材１６上に残っても、新しい連結部材７１を螺合させるときに、連結部材７１の筒状部７４の上端付近に設けられた角型の操作部７５をボルト７６の頭部７７と共に回動するのに、図３に示すように、円形断面を有する筒状部７４が邪魔にならない利点を有する。
【００１６】
この発明の他の実施の形態では、分離装置７０の連結部材７１の筒状部７４の内面に螺旋溝８３を連続的に形成せずに、部分的に形成し、適当個数の環状溝を形成し、又は角ねじ状の螺旋溝を形成する等の変更を行ってもよい。
【００１７】
【発明の効果】
前記の通り、この発明による伸縮継手用補強部の除去用分離装置では、取付時に大きい力のモーメントが作用しても筒状部が結合部材から分離して回動せずかつ補強部の除去時まで筒状部が結合部材から抜けずに十分な引張り強度を維持出来て補強部の除去時にのみ結合部材が破壊されて分離できる。また、伸縮継手を交換して補強部を再設置する際に、連結部材の回動に障害が生じない。
【００１８】
【図面の簡単な説明】
【図１】  この発明の一実施例による伸縮継手用補強部の除去用分離装置の断面図
【図２】  一部を切欠いた連結部材の正面図
【図３】  連結部材の底面図
【図４】  図１の伸縮継手用補強部の除去用分離装置の使用状態を示す断面図
【図５】  図４の縦断面図
【符号の説明】
１０・・床版、  １１・・補強部、  １３・・伸縮継手、  １５・・鉄筋、  １６・・支持部材、  ２８・・アンカーボルト、  ３１・・扁平パイプ、  ３３・・開口部、  ３５・・閉塞部材、  ７０・・分離装置、  ７１・・連結部材、  ７３・・棒状部、  ７４・・筒状部、  ７５・・操作部、  ７６・・ボルト、  ７７・・頭部、  ７８・・平面部、  ７９・・凹所、  ８２・・係合部、  ８３・・螺旋溝、  ８５・・結合部材、
【手続補正２】
【補正対象書類名】図面
【補正対象項目名】全図
【補正方法】変更
【補正の内容】
【図１】
1999148237.tif 000001
【図２】
1999148237.tif 000002
【図３】
1999148237.tif 000003
【図４】
1999148237.tif 000004
【図５】
1999148237.tif 000005